Podtech/llm-jp-corpus-v4-ja_patent huggingface dataset:
(57)【要約】【課題】  ペットの散歩時等、リードを探したり、又、着脱等の手間を解消させるようにする。【解決手段】  首輪４に収納式リード２を取り付けることにより、一体化させ、又、使用しないときは、リード収納ボタン９を押し、ワイヤー１を収納式リード２に収納させ、取っ手６を首輪４へ。接続具７と接続具８を用い、接続させ収納させる。【選択図】図１
0003128715.tif 000002
【実用新案登録請求の範囲】
【請求項１】
収納式リードと、首輪を一体化した首輪
【考案の詳細な説明】
【技術分野】
【０００１】本考案は、リードの着脱の手間を解消するために、首輪に収納式リードを一体化させて、便利にしたものである。
【背景技術】
【０００２】  従来は、収納できるリードと一体化した首輪はなかった。
【考案の開示】
【考案が解決しようとする課題】
【０００３】  室内でペットを放し飼いをしている場合等の来客時や、作業中等ペットをつないでおきたときや散歩に行く場合等々に、リードを取りに行く、探す、又、リードの着脱等の手間がかかるという問題点があった。
【課題を解決するための手段】
【０００４】  本考案は、首輪４の一端部に長さ調整バックル１０を取り付け、首輪４に結束具１１を通し、次に、収納式メジャーの機構を用いて、中にリードとなるワイヤー１を収納したものを収納式リード２とし、前記収納式リード２の一端部に、接続具３を具備し、前記接続具３を首輪４に接続、一体化させ、前記ワイヤー１の一端部に、接続具５を具備し、取っ手６と接続させ、収納時のために、リード収納ボタン９を押し、リードとなるワイヤー１を収納式リード２に収納させ、前記取っ手６の一端部に、接続具７を具備させ、前記首輪４にも接続具８を具備させ、収納時において、接続具７と接続具８を接続させるように作ることで一体化、収納できるようにした。
【考案の効果】
【０００５】  収納式リードと首輪を一体化したことにより、来客時や、作業中等ペットをつないでおきたい場合、散歩に行く際に、迅速に対応出来るようになり、又、着脱等の手間を解消することが可能となる。
【図面の簡単な説明】
【０００６】
【図１】  本考案の立面図である。
【図２】  考案した首輪の収納時の状態を示す平図面である。
【符号の説明】
【０００７】    １    ワイヤー
２    収納式リード
３    接続具
４    首輪
５    接続具
６    取っ手
７    接続具
８    接続具
９    リード収納ボタン
１０  長さ調整バックル
１１  結束具
【図１】
0003128715.tif 000003
【図２】
0003128715.tif 000004
(57)【要約】【課題】  従来のパテ板は木、金属あるいは合成樹脂等の単一材料で形成されており、おのおのの材質に固有の欠点、すなわち吸水性が高い、耐磨耗性が低い、重量がある、耐衝撃性が低いおよび変形しやすいなどの欠点をパテ板は有していた。【解決手段】  異なった材質である金属と木の組み合わせを実現することにより欠点を解消する。すなわち、パテ板の板本体の材料に軽量金属を採用し、そのパテ材載置部を高磨耗強度の金属製材料により被覆し、さらに板本体の裏面に固着する支持板および把持柄を木製にすることにより解決する。【選択図】図６
0003128718.tif 000002
【実用新案登録請求の範囲】
【請求項１】
パテ材載置部表面を耐磨耗性に優れた性質を有する金属材料を用いて被覆した軽量金属製の板本体と当該板本体の裏面に固着された木製の支持板および木製の把持柄とで構成されていることを特徴とするパテ板。
【考案の詳細な説明】
【技術分野】
【０００１】  本考案はパテによって内装クロスの下地の凹凸を補修する際などにヘラと併用するパテ板を提供するものである。
【背景技術】
【０００２】  従来のパテ板はパテによって内装クロスの下地の凹凸を補修する際などにパテ材を載せて運んだり、パテ材をあわせたりするものであり、一般には木製で、近年では金属製や合成樹脂製のパテ板が市販されている。
【考案の開示】
【考案が解決しようとする課題】
【０００３】  従来のパテ板は木、金属あるいは合成樹脂等の単一材料で形成されており、木製パテ板は軽量であるが、その材質ゆえに吸水性が高く、作業中、パテ材が硬化し、また、作業後、パテ材を落とし難くなるなど取り扱いに不便であり、耐磨耗性に問題がある等の欠点を有している。金属製のパテ板は重量があり、さらにパテ材載置部表面はヘラとの接触により磨耗し易く、また、金属単一材料ゆえに把持柄部分が握り難く、すべり安いため、作業し辛く効率が悪かった。合成樹脂製のパテ板は軽量ではあるが、耐磨耗性、耐衝撃性に欠けるという問題点があった。
合成樹脂製パテ板の中には、パテ材載置部の耐磨耗性を強化するためにパテ材載置部表面に金属製の被覆材料を貼り合わせたものもあるが、パテ材載置部の板本体と金属製被覆材料との材質の違いから、両者は十分に接着せず、ヘラに付着したパテ材をパテ材載置部端部で削ぎ落とすなどの作業を繰り返すと、パテ材載置部端部において金属製被覆材料が剥離し、また、合成樹脂であるがゆえにパテ材を削ぎ落とす際に加わる荷重によってパテ材載置部端部が湾曲に変形するなどの耐久性に難がある。さらにパテ板材載置部端部の変形に起因してパテ板全体にねじれが生じ、地面等の平坦な場所に置くことが困難になる。
【課題を解決するための手段】
【０００４】  従来のパテ板は単一材料で形成されており、おのおのの材質に固有の欠点を有していたが、本考案は従来困難であった異なった材質である金属と木の組み合わせを実現することにより欠点を解消する。すなわち、本考案のパテ板は板本体の材料に軽量金属を採用し、そのパテ材載置部に金属製被覆材料を貼り付け、さらに板本体の裏面に固着する支持板および把持柄を木製にすることにより解決する。
【考案の効果】
【０００５】  パテ板の板本体の材料に軽量金属を採用し、板本体の裏面に固着する支持板および把持柄を木製にすることにより、耐衝撃性および吸水性を克服するとともにパテ板全体の軽量化を図ることができる。さらに、把持柄部分が握り易くなり、すべり難いため、作業性が向上し、短時間で効率よく作業できる。また、板本体を軽量金属にすることから、ヘラに付着した塗材をパテ材載置部の端部で削ぎ落とすなどの作業を繰り返すことによる板本体の変形がなくなるとともに、パテ材を載置する板本体が軽量金属であるがゆえに、当該板のパテ材載置部表面の耐磨耗性を強化するために貼り付ける金属製被覆材料との接着が強固になり、金属製被覆材料の剥離を抑制する等、パテ板全体の耐久性の向上が可能となる。
【考案を実施するための最良の形態】
【０００６】  耐摩耗性の高い被覆金属材料を接着させた軽量金属製の板本体と板本体の裏面に木製の支持板および把持柄を固着する構造とする。
【実施例】
【０００７】  本考案を図において説明すると、軽量金属製の板本体１の裏面に木製の支持板３および木製の把持柄４を固着し、板本体のパテ材載置部２の全面に耐磨耗性を強化する被覆金属材料５を接着する。
【図面の簡単な説明】
【０００８】
【図１】本考案のパテ板の平面図
【図２】本考案のパテ板底面図
【図３】本考案のパテ板側面図
【図４】本考案のパテ板側面図
【図５】本考案のパテ板側面図
【図６】本考案のパテ板上から見た斜視図
【図７】本考案のパテ板下から見た斜視図
【符号の説明】
【０００９】    １は本考案のパテ板の板本体
２は本考案のパテ板の板本体のパテ材載置部
３は本考案のパテ板の支持板
４は本考案のパテ板の把持柄
５は本考案のパテ板の被覆金属材料
【図１】
0003128718.tif 000003
【図２】
0003128718.tif 000004
【図３】
0003128718.tif 000005
【図４】
0003128718.tif 000006
【図５】
0003128718.tif 000007
【図６】
0003128718.tif 000008
【図７】
0003128718.tif 000009
(57)【要約】【課題】泡立ている途中で泡立てワイヤーの中に詰まった具を直ちに取り出すことだ出来、又泡立てや易くかつ綺麗に具を除去して洗浄しやすくする。【解決手段】第1の考案は料理用泡立て器の取っ手に於いて、取っ手の柄の部分を縦に半分に切り開いた形状にし、その切断面を合わせ面とし、その合わせ面の何れか一方の面の中央に磁石を埋め込み、他方の面には磁性体部材を設けたことを特徴とする泡立て器。第2の考案は前記取っ手の頂上部分に開き防止用留め金具をつけた請求項1記載の泡立て器。取っ手の柄の部分を縦に半分に割った形状にし、内側中央に磁石を埋め込み、この磁力により半割り状の取っ手の柄を一体固着する。さらに真上の取っての最上部には留め金を左右に取り付けることにより一層強固に固着が図れる。また、磁性体部材とは鉄や鋼や磁石などで出来たものである。【選択図】  図２
0003128773.tif 000002
【実用新案登録請求の範囲】
【請求項１】
料理用泡立て器の取っ手に於いて、取っ手の柄の部分を縦に半分に切り開いた形状にし、その切断面を合わせ面とし、その合わせ面の何れか一方の面の中央に磁石を埋め込み、他方の面には磁性体部材を設けたことを特徴とする泡立て器。
【請求項２】
前記取っ手の頂上部分に開き防止用留め金具をつけた請求項1記載の泡立て器。
【考案の詳細な説明】
【技術分野】
【０００１】
料理用として使用する泡立て器である。
【背景技術】
【０００２】
従来の泡立て器は中に具が入ってしまって取り出しにくかったり、洗浄しにくかった。
柄が縦に半分になた物があっても、使用していると左右の柄がずれてしまったり、ワイヤーの数が少なく泡立ちが悪いものであった。
【考案の開示】
【考案が解決しようとする課題】
【０００３】
泡立ている途中で泡立てワイヤーの中に詰まった具を直ちに取り出すことだ出来、又泡立てや易くかつ綺麗に具を除去して洗浄しやすくする。
【課題を解決するための手段】
【０００４】
第1の考案は料理用泡立て器の取っ手に於いて、取っ手の柄の部分を縦に半分に切り開いた形状にし、その切断面を合わせ面とし、その合わせ面の何れか一方の面の中央に磁石を埋め込み、他方の面には磁性体部材を設けたことを特徴とする泡立て器。
第2の考案は前記取っ手の頂上部分に開き防止用留め金具をつけた請求項1記載の泡立て器。取っ手の柄の部分を縦に半分に割った形状にし、内側中央に磁石を埋め込み、この磁力により半割り状の取っ手の柄を一体固着する。さらに真上の取っての最上部には留め金を左右に取り付けることにより一層強固に固着が図れる。また、磁性体部材とは鉄や鋼や磁石などで出来たものである。留め金具は凹凸の形状のもので勘合する。ワイヤー式の泡立て器とは直径2ｍｍの12本のワイヤーをループ状にして取っ手に取り付けられたものである。
【考案の効果】
【０００５】
泡立て時間が大幅に短縮出来、洗い易くかつ清潔に保てる。
【考案を実施するための最良の形態】
【０００６】
柄は長さ13.5ｃｍ、太さ2.5ｃｍの木製の柄を長さ方向に縦割りして、2片とし、その先端部分から泡立て器のワイヤーが12本出て繋がっている状態とする。
【実施例】
【０００７】
クッキーの生地、ケーキの生地などを攪拌するに当たり、泡立て器のワイヤーの中に生地が詰まって困ることなく、スムーズに且つ短時間に攪拌できた。使用後のせんじょうも内側が洗い易く、清潔を保つ事が出来た。
【産業上の利用可能性】
【０００８】
一般家庭および業務用として使用できる。
【図面の簡単な説明】
【０００９】
【図１】本考案の泡立て器を示す。
【図２】本考案の柄を半割にした状態の泡立て器を示す。
【図３】本考案の柄の片側を示す。
【符号の説明】
【００１０】
1泡立て器
2柄
3泡立てワイヤー
4柄を半分にした切断面
5磁石
6磁性体部材
7柄とワイヤーとの接合部分
8留め金具
【図１】
0003128773.tif 000003
【図２】
0003128773.tif 000004
【図３】
0003128773.tif 000005
(57)【要約】      （修正有）【課題】従来の鼻緒はいずれも細く且つ短いものであった。そのため外反母趾の進行により足の親指と人差し指が重なり合っていくという問題があった。【解決手段】足の親指と人差し指で挟む為の鼻緒の、足底が当たるぞうりスリッパ面への取り付け部分は足の親指とその他の指が交差しないように取り付け位置を前へ3〜5ｃｍ長径の楕円形断面を有する鼻緒を取り付けたぞうりスリッパ。上記の鼻緒は楕円形断面であり厚みは7〜8ｍｍとし、中には芯地を貼り付けた布として取り付け部分からジョイント部に向かって鼻緒を緩やかに細くし、親指が他の指に交わっていかない為の壁となるようにしたぞうりスリッパ。【選択図】図１
0003128772.tif 000002
【実用新案登録請求の範囲】
【請求項１】
足の親指と人差し指で挟む為の鼻緒の、足底が当たるぞうりスリッパ面への取り付け部分は足の親指とその他の指が交差しないように取り付け位置を前へ3〜5ｃｍ長径の楕円形断面を有する鼻緒を取り付けたことを特徴とするぞうりスリッパ。
【請求項２】
上記の鼻緒は楕円形断面であり厚みは7〜8ｍｍとし、中には芯地を貼り付けた布として取り付け部分からジョイント部に向かって鼻緒を緩やかに細くし、親指が他の指に交わっていかない為の壁となるようにした請求項1記載のぞうりスリッパ。
【考案の詳細な説明】
【技術分野】
【０００１】
鼻緒を備えたぞうり、スリッパなどの履物に関する
【背景技術】
【０００２】
従来は鼻緒部分が細長いひも状のものであった。
【考案の開示】
【考案が解決しようとする課題】
【０００３】
従来の鼻緒はいずれも細く且つ短いものであった。そのため外反母趾の進行により足の親指と人差し指が重なり合っていくという問題があった。
【課題を解決するための手段】
【０００４】
第1の考案は足の親指と人差し指で挟む為の鼻緒の、足底が当たるぞうりスリッパ面への取り付け部分は足の親指とその他の指が交差しないように取り付け位置を前へ3〜5ｃｍ長径の楕円形断面を有する鼻緒を取り付けたことを特徴とするぞうりスリッパ。
第2の考案は上記の鼻緒は楕円形断面であり厚みは7〜8ｍｍとし、中には芯地を貼り付けた布として取り付け部分からジョイント部に向かって鼻緒を緩やかに細くし、親指が他の指に交わっていかない為の壁となるようにした請求項1記載のぞうりスリッパ。
鼻緒の付け根は３ヵ所とも広くする。親指と人差し指の間の鼻緒の付け位置は通常より前へ3〜5ｃｍ長く、そして根元からジョイント部分（足の甲のカバーの中心）に向かって鼻緒を穏やかに狭くしていく。又巾は指の付け根から爪の方向に向かって真直ぐ開くだけの巾の厚み（7〜8ｍｍ）とし、中には芯を入れしっかりとしたものとする。鼻緒の材質は本体と同じか柔らかい織布製のものがよい。楕円形断面とは鼻緒を横断し状態で見た場合の形状をいい、足の親指と人差し指で挟む方向を厚みとし、この方向と直交する方向を長径とする。
【考案の効果】
【０００５】
楽に違和感なく、親指と人差し指との間隔を適度に開いた状態を保つことが出来ることにより外反母趾の進行を防ぎ又すでに指が重なりあっている人はこのスリッパを室内で常に履くことにより、自然に指が開いている状態になるので、気持ち良く健康な足でいられる。5本指の靴下や履物は履くのに時間がかかり、面倒となり、またすでに外反母趾になっている人はなお更に履き辛いので、普段容易に使用することが難しく使用を断念する場合が多いが、親指と人差し指の間に壁状の鼻緒を差し込むことにより、残り3本の指（中指、薬指および小指）は自然に人差し指によって外側に押され、内側に向かって行こうとする力を弱める。使用時の脱いだり履いたりが容易に出来る。一般のスリッパと同素材（布製）のため長時間の使用でも足に負担がない。
【考案を実施するための最良の形態】
【０００６】
ぞうり、スリッパ、げた、ゴムぞうり、サンダルなどに適用できる。
【実施例】
【０００７】
鼻緒の底との接面は通常の鼻緒の付け位置か3〜5ｃｍ前に長くし、厚みは7〜8ｍｍとし、甲のカバーの中心となだらかに結んだ物を作り試験してみた。その結果１０時間ぐらい履いても疲れず、かえって健康感があり、疲れが取れる感じがした。
【産業上の利用可能性】
【０００８】
女性、男性を問わず、屋内外で多いに普及すると思われる
【図面の簡単な説明】
【０００９】
【図１】本考案のぞうりスリッパを上から見た図
【図２】本考案のぞうりスリッパを横から見た図
【図３】本考案のぞうりスリッパを履いた図
【符号の説明】
【００１０】
１  スリッパ本体
２  鼻緒
３  甲の部分のカバー
４  足の親指
５  底の表面
【図１】
0003128772.tif 000003
【図２】
0003128772.tif 000004
【図３】
0003128772.tif 000005
(57)【要約】【課題】居眠り運転による交通事故を少なくしたい【解決手段】居眠り状態に入った時に起きる握力の強弱をセンサーにより検知人それぞれの握力、手からの導電係数によるデーターのインプット上記データの閾値の調整機能、安全係数の設定ハンドル型居眠り状態検知センサーの考案【選択図】図２
0003128703.tif 000002
【実用新案登録請求の範囲】
【請求項１】
感圧タイプ接触式センサー＋導電シートを組み合わせ自動車のハンドルの形状にした居眠り運転防止用のハンドルカバー
【請求項２】
請求項１のハンドルカバーのセンサーの検知データに基づきスピーカーで警告音を鳴らす
【請求項３】
請求項２のスピーカーはハンドルに取付ける
【請求項４】
請求項１から請求項３までを組合せた自動車用ハンドルに取付け可能な居眠り運転防止用ハンドルカバーの考案
【考案の詳細な説明】
【技術分野】
【０００１】新製品開発技術
【背景技術】
【０００２】生産技術＋機械設計技術＋電子制御技術＋センサー開発技術
【考案の開示】
【考案が解決しようとする課題】
【０００３】居眠り運転による交通事故防止への貢献
【課題を解決するための手段】
【０００４】居眠り状態の握力の強弱をセンサーにより検知
人それぞれの握力、手からの導電係数に基づくデータののインプット
上記データの閾値の調整機能、安全係数の設定
ハンドル型居眠り状態検知センサーの考案
【図面の簡単な説明】
【０００５】
【図１】感圧タイプの接触式センサーと導電シートを組合せハンドルに［平面図］取付け可能な形状にする
【図２】ハンドルにセンサーの検知結果を知らせる警報機を取付可能にする［側面図］情報処理を行う機能を持つパッケージを警報機パック内に収納する
【図１】
0003128703.tif 000003
【図２】
0003128703.tif 000004
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
感圧タイプ接触式センサーと導電シートを組み合わせ自動車のハンドルの形状にした居眠り運転防止用ハンドルカバー
【請求項２】
請求項１のハンドルカバーのセンサーの検知データに基づきスピーカーで警告音を鳴らす事を特徴とする居眠り運転防止用ハンドルカバー
【請求項３】
請求項２のスピーカーはハンドルカバー自体に組み込まれている事を特徴とする居眠り運転防止用ハンドルカバー
【請求項４】
請求項１から請求項３までを組合せた自動車用ハンドルに取付け可能な居眠り運転防止用ハンドルカバーの考案
(57)【要約】【課題】  薬を常用しなければならない病人や老人たちに、服用管理の徹底を図るために、薬箱に１週間分の日付と曜日を表示させ、その日にちに合わせて１日分の服用単位の薬を入れる開閉自在の蓋を持つ収納ケースを配置し、その日付の表示を変更させる事により、正確な当該日にちを表示する薬箱を提供することを目的とする。【解決手段】  本考案は、１から１２までの月を表す数字を書いたベルトと、１から３１までの日を表す数字を書いたベルトを用いて、滑車と組み合わせて、薬箱上に、１週間分の日付を表示し、その日にちに連結して１日分の薬を入れる収納ケースを適宜に配置し、かつ、ベルトを移動させる事により、日付の表示を変更させて、適切な適宜の日にちを表示させて、薬の自己管理の徹底を図る。【選択図】図１
0003128710.tif 000002
【実用新案登録請求の範囲】
【請求項１】
薬箱上面に、日付を表示することを目的とする、１から１２までの月を表す数を書いたベルトと、１から３１までの日を表す数を書いたベルトを、滑車と組み合わせて、薬箱に組み込み、ベルトを移動させる事により、適切な月日を薬箱上に表示する構造を特徴とする薬箱。
【考案の詳細な説明】
【技術分野】
【０００１】  本考案は、月と日を表す数字を書いたベルトと、滑車を組み合わせて１週間分の適宜な日にちを薬箱上に表示させる、日づけ付き薬箱に関するものである。
【背景技術】
【０００２】  薬の飲み忘れを防止するために、箸箱と一体としたものや、朝、昼、夜と分別した収納ケースからなる薬箱や、数週間分の服用分の複数の収納ケースからなる特開２００２−３６０６６２の薬箱があるが、老人などは、複雑な薬箱は敬遠して、空き缶などを利用して、服用管理していた。
【考案の開示】
【考案が解決しようとする課題】
【０００３】  上記箸箱と一体の場合、衛生面で不安があるし、また、朝、昼、夜と分別していても、何月何日の薬かわからないので、使いづらく、また、数週間分の薬を服用単位毎に分別して収容する薬箱は、病人や老人にとって複雑で使用しにくい。
何月何日の、何曜日の、朝、昼、夜の、いずれの薬かが一目で識別できれば、服用者や介護者にとって、薬の服用管理の徹底を期待できるので、ベルトと滑車を組み合わせて１週間分の日付を表示させ、ベルトを移動させて、日付の表示を変更させることにより、正確な当該日にちを表示して、薬の服用の管理が徹底できる薬箱を提供することを目的とする。
【課題を解決するための手段】
【０００４】  本考案は、持ち運びに簡便なように箱体に取っ手をつけ、その箱体の上面に、月を表示する部分と、１週間分の日にちを表示する部分と、各日にちの下に朝、昼、夜という各回服用分の薬を収容可能である薬分別部が形成された開放自在な蓋を持つ複数の薬収納ケースとからなる薬箱である。月と日は、ベルトと滑車を箱体に組み合わせて、数字に合わせてベルトを移動させる事により、箱体上面に、適切な日時のみを表示させることが可能となる。１週間分の薬箱にするときは、日にちを表示する部分に、曜日も同時に表示すれば、より簡明になり、正確な日にちの識別が簡単になると同時に、持ち運びに便利な薬箱となり、薬の服用、管理が徹底できる。
【考案の効果】
【０００５】薬箱上面の、朝、昼、夜と分別した各収納ケースに、１週間の日にちや曜日を連動して表示させることにより、何月何日、何曜日の、いつの、薬かが一目で正確に把握できるため、認識力の衰えた老人の薬の自己管理に役立ち、かつ、取っ手があり、１週間分の量なので適度な大きさになり、どこにあるかすぐにわかり、持ち運びに便利なため、服用意識向上を図ることに役立つ。
【考案を実施するための最良の形態】
【０００６】  薬箱は月を表示する箱体と、１週間分の日と曜日を表示する箱体と、朝、昼、夜の服用単位別の１週間分の収納ケースの箱体からなり、月と日と曜日の箱体には、滑車と数字が書かれたベルトを組み合わせて、月日を表示して、１日分の服用単位別の収納ケースをそれぞれの日にちに合わせて設置する。
【実施例】
【０００７】    以下、添付図面に従って一実施例を説明する。１は耐久性のプラスチックス等適宜素材にて一体化された薬箱本体、２は月を表示する箱体、３は１週間の日と曜日を表示する箱体、４は３のそれぞれの日にちに合わせて接続された、朝、昼、夜の服用単位別に収納する複数のケースの箱体で、５と６の滑車の送りゴマで、ベルトを移動させて、正確な日にちを表示させる。【０００８】    月を表示する場合、滑車を使用せず、色付きのカーソルを移動させて、表示したい月の数字の上に合わせて、月を表示することもできる。【０００９】  曜日を表示しなければ、１週間分ではなく、適宜な日数の薬箱でもよい。
【図面の簡単な説明】
【００１０】
【図１】本考案の斜視図である
【図２】本考案の断面図である。
【符号の説明】
【００１１】１  薬箱本体
２  箱体
３  箱体
４  箱体
５  送りゴマ
６  送りゴマ
７  取っ手
【図１】
0003128710.tif 000003
【図２】
0003128710.tif 000004
(57)【要約】【課題】  動力源（モーター）を使わない簡便な乗馬式トレーニングマシンを考案する。【解決手段】  乗馬時体感する反動（上下動）は重力と慣性の合成とみなし、斜め前下方に働いていると想定し、実物鞍を設置した架を斜め前下方に取り付け、バネの力を利用し騎乗者の腰の弾発で起動させる簡便な装置を考案できた。【選択図】図１
0003128705.tif 000002
【実用新案登録請求の範囲】
【請求項１】
実物鞍を設置できる装鞍架と、その両端を支える支持枠があり、架の後方をその他端が上下動できるよう枠に半固定し、他方は架全体が斜めになるよう一段低く枠とバネを介し接する。乗り手の腰の弾発が連続的な上下動を誘起する。バネの取り替えで乗馬時の３種の反動を体感できることを特徴とするトレーニングマシンである。
【考案の詳細な説明】
【技術分野】
【０００１】  本考案は乗馬のメカニズムを利用したトレーニングマシンである。
【背景技術】
【０００２】  従来の機器、装置は電動モーターを用い、その単純な動きに応じる受動的なものであり、充分な効果、満足感を得られない。
【考案の開示】
【考案が解決しようとする課題】
【０００３】  動力（モーター）を使わず、乗馬時の反動（上下動）を作る。
【問題を解決するための手段】
【０００４】  乗馬時体感する反動は上下動である。これは重力の作用とみる。
動かない馬に反動はない。馬が動く、そこに慣性が生じる。
反動に重力と慣性の相関をみる。騎乗者が上下動と感じる反動は両作用の合成として、斜め前下の方向にあると想定。
人が乗る実物鞍を保持する装鞍架を斜めに取り付ける。
【考案の効果】
【０００５】  充分に納得のいく上下動を得られる。
【考案を実施するための最良の形態】
【０００６】  乗馬時に使われる筋肉は通常の生活ではあまり使われず未発達である。騎乗回数をかさね、筋力の増大と共に上達する。
人にもよるが、３００〜５００鞍（回）程が人並みに乗れるようになる目安かと思う。毎日乗って練習できるならそれでいい。
サンデーライダーは条件が悪い。
乗馬施設に行かなくともそれなりの練習ができる装置として  初級者、
シャドーボクシング的な練習に使える装置として            中級者、
イメージトレーニング的な練習に使える装置として          上級者、
【実施例】
【０００７】  馬の胴体部をまねて、反発性のある曲げ鋼板を設置している。
正しい乗馬姿勢の習得、馬の推進、脚の扶助練習等。【０００８】  乗る人の腰の推し出しが起動となっているので、動・不動状態が即可能であり、停止・半停止、側方への回転時の扶助、障害飛越練習の乗り手の随伴、体のおこし等の練習【０００９】  鞍の種類を取り替えての練習……競争馬鞍
【産業上の利用可能性】
【００１０】  乗馬を始めるのも続けるのにも費用がかかる。踏み切れない人、途中で断念する人も多い。上達の度合いが早ければ、それにかかる費用、時間、手間も惜しくなくなるかもしれない。
乗馬人口が増えないと日本馬術の競技レベルの向上にも支障がでるかもしれない。簡便な練習装置があればそれらは改善されるかもしれない。そして乗馬クラブの経営に好影響を与え、そこで働く人達の待遇改善にもいたるかも。
【図面の簡単な説明】
【００１１】
【図１】本トレーニングマシンの側面図
【図２】支持枠の正面図
【図３】バネ取り付けの１例図
【符号の説明】
【００１２】１  装鞍架
２  支持枠
３  義胴曲げ鋼板
４  曲げ鋼板支持棒
５  バネ
【図１】
0003128705.tif 000003
【図２】
0003128705.tif 000004
【図３】
0003128705.tif 000005
【手続補正書】
【提出日】平成18年9月29日(2006.9.29)
【手続補正１】
【補正対象書類名】実用新案登録請求の範囲
【補正対象項目名】全文
【補正方法】変更
【補正の内容】
【実用新案登録請求の範囲】
【請求項１】
本考案の構成において（１）実物鞍を載せる装鞍架（２）装鞍架の後方を半固定、前方は装鞍架が斜め下がりになり、鋼製バネを介し保持できる支持枠、以上からなる乗馬式トレーニングマシンである。
【手続補正２】
【補正対象書類名】明細書
【補正対象項目名】全文
【補正方法】変更
【補正の内容】
【考案の詳細な説明】
【０００１】本考案は乗馬のメカニズムを利用したトレーニングマシン。
【０００２】従来の機器は電動モーターを用いその動きに応じる、受動的なものであり、トレーニングマシンとして十分な効果を得られない。
【０００３】動力を使わず、乗馬時体感する馬の反動（上下動）を作る。
【０００４】馬の反動、は重力と馬の進行に伴い起こる慣性の相関作用で、その合成は斜め下方に向くと想定し、装鞍架を斜め下に取り付けることで、その合成に合致すると考え、前方に鋼製バネを取り付けて反復作用をなさせる。
【０００５】充分満足のいく上下動を得た。
【０００６】動力を使わず装鞍架に乗った人の、意識した連続的な腰の前への伸展により、乗馬体感を得るため、乗馬する人や足腰の弱い人の、足腰の鍛錬に効果が期待できる。
【０００７】反発性のある曲げ綱板で、馬の胴体部を構成しているので、鞍を置きそこに乗り、正しい乗馬姿勢の習得、足の扶助の練習が可能になる。
【０００８】乗る人の腰の押し出しが起動力となり、動、不動状態が即可能であり、障害飛越練習の随伴姿勢の練習が可能になる。
【０００９】鞍の種類を取り替えて、各種騎乗（競馬、ウェスタン）の練習が可能になる。
【００１０】簡便な乗馬練習装置があれば、乗馬の上達に役立ち、期間の短縮、費用軽減等、乗馬をする人の負担が少なくなり、乗馬の普及が容易となり、乗馬クラブの経営に好影響がでることを期待する。
【図面の簡単な説明】
【００１１】
【図１】本トレーニングマシンの全体図
【符号の説明】
【００１２】１．  装鞍架２．  支持枠３．  つりバネ４．  圧縮バネ５．  義胴（曲げ綱板）
【手続補正３】
【補正対象書類名】図面
【補正対象項目名】全図
【補正方法】変更
【補正の内容】
【図１】
0003128705.tif 000006
(57)【要約】【課題】  本考案は、厚みのある樹脂やガラス等でルーバー材をつくることにより、柱や帆立てに直接取り付けることができ、また、材料の材質感や量感のある、意匠性の高いルーバー材を実現しようとするものである。【解決手段】  ルーバー材を厚みのある樹脂やガラス等でつくることにより、専用の枠や特殊な止め付け金具を使わずに柱や方立てに直接取り付けることができ、さらに、材料の材質感や量感のある、意匠性の高いルーバー材となる。【選択図】図１
0003128704.tif 000002
【実用新案登録請求の範囲】
【請求項１】
専用の枠や特殊な止め付け金具が不要で、柱や方立てに直接取り付けることができるルーバー材
【請求項２】
材料の材質感や量感のある、意匠性の高いルーバー材
【考案の詳細な説明】
【技術分野】
【０００１】  本考案は、外壁・フェンス等に用いるルーバー材に関するものである。
【背景技術】
【０００２】  従来、敷地と敷地との間に設置される塀や、ベランダやバルコニー等の周囲に設置される手摺、あるいは窓やサッシ等の建物開口部に装設される目隠しフェンスは、多数のルーバーを取付け枠に所定の間隔に取り付けたものや、取付け枠とルーバーとが予め一体的に成形されているものが一般的であり、取付け場所の目的や用途に応じて枠を介さないで設置することは困難であった。【０００３】  また、多くのルーバー材は、生産性と経済性の面から樹脂や金属などで軽量・薄型につくられたものがほとんどであり、樹脂の材質感や量感を意匠に活かして使用することは困難であった。
【考案の開示】
【考案が解決しようとする課題】
【０００４】  本考案は、厚みのある樹脂やガラス等でルーバー材をつくることにより、柱や方立てに直接取り付けることができ、また、材料の材質感や量感のある、意匠性の高いルーバー材を実現しようとするものである。
【課題を解決するための手段】
【０００５】  ルーバー材を厚みのある樹脂やガラス等でつくることにより、専用の枠や特殊な止め付け金具を使わずに柱や方立てに直接取り付けることができ、さらに、材料の材質感や量感のある、意匠性の高いルーバー材となる。
【考案の効果】
【０００６】  本考案のルーバー材は、上述のような手段によって、専用の枠や特殊な止め付け金具を使わずに柱や方立てに直接取り付けることができることで、取付け場所の目的や用途に応じた自由な設置ができ、また、厚みのある樹脂やガラス等を使うことによって、材料の素材感や量感のある、意匠性の高いフェンスを造ることが出来る。
【考案を実施するための最良の形態】
【０００７】  本考案のルーバー材を、ポリカーボネート、アクリル、ＦＲＰなどの樹脂やガラス等を用いて折曲成形、押出成形や重合接着等の方法を用い、図１の様な断面形状にすることで、ビスやボル  トでの締め付けに耐えるのに十分な厚みを有し、専用の枠や特殊な止め付け金具を使わずに、柱や方立てに直接取り付けることができる。これにより、取付け場所の目的や用途に応じた自由な設置ができる。【０００８】  また、ルーバー材の表面にテクスチャを付けたり、樹脂を透明・半透明・不透明と変えることにより、採光性や視認性を調節することが出来る。【０００９】  そして、厚みのある樹脂を使うことによって、材料の素材感や量感のある、意匠性の高いフェンスを造ることが出来る。
【実施例】
【００１０】  図５の様に木板と組み合わせて取り付けることにより、視線（▲６▼）を完全に遮ることが出来る。
【図面の簡単な説明】
【００１１】
【図１】  ルーバー材断面図
【図２】  ルーバー材を方立に止め付けたフェンスの断面図
【図３】  ルーバー材を方立に止め付けたフェンスの正面図
【図４】  ルーバー材を方立に止め付けた部分断面詳細図
【図５】  ルーバー材と木板を組み合わせて、視線を完全にさえ切った場合の部分断面詳細図
【符号の説明】
【００１２】  ▲１▼    ルーバー材
▲２▼    方立て
▲３▼    ビス（ネジ）
▲４▼    スペーサー
▲５▼    木板
▲６▼    視線がとおらないことを示す想定線
【図１】
0003128704.tif 000003
【図２】
0003128704.tif 000004
【図３】
0003128704.tif 000005
【図４】
0003128704.tif 000006
【図５】
0003128704.tif 000007
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
厚みのある材料で成形することで、専用の枠や特殊な取付け金具無しで、柱や方立て等に直接ビスやボルトなどで取付けることができ、クランク形状のようにオーバーラップさせて取付けた際に、目隠し性能と通風性能を持つことを特徴としたルーバー材。
(57)【要約】【課題】  本考案は杖本体の握り部分内に懐中電灯を収納せしめて、暗い道等を歩行する際の危険防止と交通事故防止をする。【解決手段】  本考案は杖本体１の握り部分２内に懐中電灯の電球、電池等を収納せしめる懐中電灯収納室３を設け、その前部に取り外し自在の填め込み式のレンズ４と、同じくその後部に取り外し自在の填め込み式の蓋５を装着することで、電球及び電池の交換が自在にでき、且つ、懐中電灯収納室３の上部にスイッチ６を設けることで点灯及び消灯が自在になり、杖として使いながら必要に応じて懐中電灯の役目を果たすことができる。【選択図】図１
0003128758.tif 000002
【実用新案登録請求の範囲】
【請求項１】
杖本体の握り部分内に懐中電灯を収納せしめたことを特徴とする懐中電灯内蔵杖。
【考案の詳細な説明】
【技術分野】
【０００１】  本考案は、懐中電灯を収納せしめた、杖に関するものである。
【背景技術】
【０００２】  杖を必要とする人が、暗い道等を歩行する際、片手に杖を持ちもう一方の手に懐中電灯を持っていた。
【考案の開示】
【考案が解決しようとする課題】
【０００３】  両手が塞がった状態での歩行は、何かにつまずいたりして転倒すれば危険であり、また手荷物等を持つことも制限されて不便である。従って、杖の機能と懐中電灯の機能を一体化することにより片手を自由に使うことが可能になり、前述の欠点を解決しようとするものである。
【課題を解決するための手段】
【０００４】  本考案は、杖本体の握り部分内に懐中電灯を収納せしめることで解決している。
【考案の効果】
【０００５】  上述の様に、本考案の懐中電灯内蔵杖は杖として使うことは勿論、懐中電灯の役割を兼ねることにより、暗い道等を歩行する際の危険防止になり、また自動車、バイク、自転車等の運転者に電灯の明かりでこちらの存在を遠くからでも認識させることが可能になるので交通事故防止にも役立つ。
【考案を実施するための最良の形態】
【０００６】  杖本体の握り部分内に収納室を設け、当該収納室に形状とサイズを合わせて作成した懐中電灯を収納せしめる。また懐中電灯のスイッチを当該収納室上部に設けることにより点灯及び消灯が自在となる。
【実施例】
【０００７】  以下、添付図面に従って一実施例を説明する。１は耐久性の木材等適宣素材にて一体化形成された杖本体、２は当該杖本体の握り部分、３は懐中電灯の電球、電池等を収納せしめるために握り部分２内に設けた懐中電灯収納室で、この懐中電灯収納室３の前部に取り外し自在の填め込み式のレンズ４と後部に取り外し自在の填め込み式の蓋５。６は懐中電灯のスイッチ。
【図面の簡単な説明】
【０００８】
【図１】  本考案の懐中電灯内蔵杖の一実施例を示す平面図である。
【符号の説明】
【０００９】  １  杖本体
２  握り部分
３  懐中電灯収納室
４  レンズ
５  蓋
６  スイッチ
【図１】
0003128758.tif 000003
(57)【要約】【課題】  この考案は、暗い場所での演奏時や聴力の不十分な方が演奏を聞く場合など、視力を通じて演奏を楽しむことができる、演奏した各音階ド、レ、ミ、ファ、ソ、ラ、シを、七色虹色に各々対応した紫、藍、青、緑、黄、橙、赤に発光させるキーボード音階楽器を提供する。【解決手段】  演奏者が、演奏楽譜の音階に対応して、音楽用キーボードの音階入力用キーを操作する度に、該音楽用キーボードのキー操作に一体させたＬＥＤ（発光ダイオード）発光装置を通じて、演奏した音階ド、レ、ミ、ファ、ソ、ラ、シに各々対応した七色虹色紫、藍、青、緑、黄、橙、赤に電球を発光させる構造とした。【選択図】図１
0003128759.tif 000002
【実用新案登録請求の範囲】
【請求項１】
音階入力用キーを複数配設した音楽用キーボードと、該音楽用キーボードに一体連結された音階入力キー操作に対応した音階情報検出・伝達装置と、該音階情報検出・伝達装置に一体連結され検出・伝達された音階に対応した色を発光する電球を音階入力キーと同数配設した構造の発光装置とからなる音楽用キーボード楽器において、該発光装置の電球の発光が一体連結されたＬＥＤ（発光ダイオード）回線を通じて行われる構造であることを特徴とする音楽用キーボード楽器。
【請求項２】
該発光装置の電球の発光色が、検出・伝達された音階ド、レ、ミ、ファ、ソ、ラ、シを各々周波数の大きい順に紫、藍、青、緑、黄、橙、赤に発光させる構造であることを特徴とする請求項１記載の音楽用キーボード楽器。
【考案の詳細な説明】
【技術分野】
【０００１】  本考案は、ピアノ、エレクトーンなど鍵盤楽器などの音楽用キーボード楽器の演奏効果を、七色虹色等の発光により視力を通じて楽しむことができる音楽用キーボード楽器に関する。
詳しくは、音階入力キーで入力操作した音階ド、レ、ミ、ファ、ソ、ラ、シを該操作に一体連結されたＬＥＤ（発光ダイオード）回線を通じて、各々対応した七色虹色紫、藍、青、緑、黄、橙、赤等に発光させるものである。
【背景技術】
【０００２】  従来のピアノ、エレクトーンなど鍵盤楽器などの音楽用キーボード楽器の演奏の楽しみ方は、主として音を通じてのものであった。
それ故、暗い場所での演奏や聴力が十分でない方が演奏を楽しむのには、自ずと限界があった。
音以外に視力を通じて演奏を楽しむ工夫としては、楽譜の音階を色分けする（例えば、特開平１１−３０７６参照）とか音楽用キーボードの音階入力キーの色分け（例えば、特開２００４−２１０２０参照）技術が開示されている。【０００３】  しかしながら、演奏した音階を色分け等の視力を通じて楽しめる構造の音楽用キーボード楽器については、未だになんら提案はなされていない。
それ故に、暗い場所での演奏時や聴力が十分でない方が聞く場合など、音以外に視力を通じて演奏を楽しむには、不十分であるといわざるを得ない。
【考案の開示】
【考案が解決しようとする課題】
【０００４】  従来の音以外に視力を通じて演奏を楽しむ工夫としては、演奏者に対しては、上記の楽譜の音階の色分けや音階入力キーの色分けといった工夫が提案されている。
しかしながら、演奏を聞く側に対しては、音以外に視力を通じて演奏を楽しめる構造の工夫はなされていない。
【課題を解決するための手段】
【０００５】  本考案は、上記の課題を解決するために、音楽用キーボード楽器の音程入力キーで入力された各音階を、ＬＥＤ（発光ダイオード）回線を通じて、各々の色に発光させることにより解決しようとするものである。
さらに演奏効果を高めるために、音程入力キーで入力された各音階ド、レ、ミ、ファ、ソ、ラ、シを各々対応した周波数が大きい順に紫、藍、青、緑、黄、橙、赤の七色虹色に発光させるとより効果的である。
【考案の効果】
【０００６】  従来の演奏の聞く側の楽しみ方は、主として音を通じてのものであったので、暗い場所での演奏時や聴力が十分でない方が聞かれる場合などは演奏を楽しむのは不十分であったといわざるをえなかったが、本考案を使用すれば、音階入力キーで入力された音階は各々対応した電球の色を通じて楽しむことが可能となる。
また、本考案は、音楽用キーボードと発光装置とを入力音階検出・伝達装置を介して連結コネクターと電気コードとで結ぶ、取り外し簡単自在構造であるので、移動も簡単なため設置場所については特別な制約なしに設置することも可能である。
さらに、ＬＥＤ（発光ダイオード）回線を使用すると低電力で可能となることから、通常の白熱電球に比べて、電球表面の温度上昇も少なく、接触による火傷等の危険も少なくなり、より安全に演奏を楽しむことが可能となる。
【考案を実施するための最良の形態】
【０００７】  本考案の音楽用キーボード楽器は、音階入力用キーを複数配設した音楽用キーボードと、該音楽用キーボードに一体連結された音階入力キー操作に対応した音階情報検出・伝達装置と、該音階情報検出・伝達装置に一体連結され検出・伝達された音階に対応した色を発光する電球を音階入力用キーと同数配設した発光装置からなるものである。
発光装置の電球の音階に対応した色の発光はＬＥＤ（発光ダイオード）回線を通じて行うものである。【０００８】  さらに発光効果をたかめるために、音階入力キーで入力された音階ド、レ、ミ、ファ、ソ、ラ、シを各々周波数の大きい順に紫、藍、青、緑、黄、橙、赤に発光させる場合には、青、緑、黄、赤についてはＬＥＤ（発光ダイオード）回線を通じて直接に該色に発光できるが、紫、藍、橙についてはさらに各々フィルターの併用構造とすることにより可能となる。
【実施例】
【０００９】  以下に、本考案の一実施形態を、図面を参照して説明する。
図１は、本考案の一実施例を示す説明図であるが、音楽用キーボード１と音階情報検出・伝達装置は（上から見た）平面図であるが、発光装置は（立位の）正面図である。
まず、演奏者が演奏曲の譜面にしたがって、音楽用キーボード１の左端から音階がミから配列された音階入力用キー２を操作すると、音楽用キーボードに一体連結された音階情報検出・伝達装置４を通じて、該検出・伝達された音階に対応した色を、ＬＥＤ（発光ダイオード）回線を利用して、発光装置５の各々対応した電球６を発光させる構造である。【００１０】  実施形態では、音楽用キーボードの音階入力用キーの左端音階がミから配列されているが、ド、ミ、ソ等何れの音階から配列されてもなんら問題はない。
また、該音階入力キーは、下段（ピアノの鍵盤で例えるならば白鍵）２４、上段（ピアノの鍵盤で例えるなら黒鍵）１５の配列構成となっているが、通常の演奏機能を有するのであれば特に配列数は指定されるものではない。
また、音楽用キーボード、音階情報検出・伝達装置、発光装置本体及び発光用電球は、本考案の機能を果たすのに十分な精度及び強度等の物性を有するものであれば特に指定するものではない。
【図面の簡単な説明】
【００１１】
【図１】  本考案の音楽用キーボード楽器の一実施例を示す説明図である。
【図２】  本考案の発光装置の一実施例を示す側面図である。
【符号の説明】
【００１２】    １  音楽用キーボード
２  音階入力キー
３  音階検出・伝達装置
４  電源コード
５  連結コネクター
６  ＬＥＤ（発光ダイオード）回路
７  発光装置
８  発光用電球
９  電球支持装置
【図１】
0003128759.tif 000003
【図２】
0003128759.tif 000004
(57)【要約】【課題】  農作物の猪等による被害は、毎年相当なものであると推定される。あわせて、農作物を食べにきた動物の攻撃による人身への被害も後を絶たない。これまでも、器具的な撃退装置はあったが、単発的であったり設置も大変な課題があった。【解決手段】  この装置は、１辺５０ｃｍほどの箱形で重量も１０ｋｇ程度で、取っ手もつけられているので持ち運びがしやすく、どこでも設置可能な有害動物撃退装置である。  太陽電池で発電し、その電力をバッテリーに充電する回路を用いるので、電線等の配線工事が不要で、山間部や畑等どこでも設置ができ、柵や金網やネットを張る労力と手間は不要であり、いろいろな種類の動物に対応して音や光及び振動を発して恐怖感を与え、追い払うことができる。また、一定時間間隔に動作するので、動物が警戒して近づかないようにする動物撃退装置である。【選択図】図１
0003128756.tif 000002
【実用新案登録請求の範囲】
【請求項１】
太陽電池で発電した電力をバッテリーに充電することができ、どこにでも持ち運び設置が簡単で、モータの動力により金属塊が回転し本体の金属箱に衝突しガンガンと騒音をたて振動をつくり、有害動物を撃退する装置。
【請求項２】
光センサー部の調整で、暗くなったら動作するように設定ができ、逆に昼間に動作するようにも設定ができる、請求項１に記載の有害動物撃退装置。
【請求項３】
体温センサーを用い動物が近づいたら動作する、請求項１に記載の有害動物撃退装置。
【請求項４】
タイマーの設定で動作間隔を調整でき、自動的に一定の時間間隔で数分間動作する、請求項１に記載の有害動物撃退装置。
【請求項５】
赤く目のように発光ダイオードが光る、請求項１に記載の有害動物撃退装置。
【請求項６】
音声ＩＣ及びランダム回路を備え数種の犬の吠える声や猛獣類の声を発する、請求項１に記載の有害動物撃退装置。
【考案の詳細な説明】
【技術分野】
【０００１】本考案は、農作物や人に被害を与える動物を追い払うための撃退装置に関する。
【背景技術】
【０００２】従来から器具的なもので追い払う技術がある。
【考案の開示】
【考案が解決しようとする課題】
【０００３】従来からの器具的な撃退装置では、単発的であり、設置するのに大変な労力が必要であり、大掛かりな土木工事や電気工事等も必要な場合もあった。また、いろいろな種類の動物には対応できない問題点があった。
【課題を解決するための手段】
【０００４】太陽電池で発電した電力をバッテリーに充電し、交流電源がなくても、山林や田畑のどこにでも持ち運べ、設置が簡単にできる。本体内で金属塊が回転し、本体に衝突しガンガンと騒音をたてて猪等の動物に恐怖心を与え近づかせず追い払う。光センサー部の調整で、暗くなったら動作するように設定ができ、逆に昼間に動作するようにも設定ができる。タイマーの設定で動作間隔を調整でき、一定の時間間隔で数分間動作させる。音声ＩＣ及びランダム回路を備え、動物の恐れる犬や猛獣などの音声を発し動物の慣れ（学習効果）を防止することができる。夜間、動物が装置の前を通ったら体温センサーが待ち伏せ動作する。赤く目のように発光ダイオードが光る。以上のような動作をする有害動物撃退装置である。
【考案の効果】
【０００５】持ち運びが自由で、太陽光のあたる場所ならどこでも設置できる。有害な動物の習性にあわせ、昼行性又は夜行性の動物にも対応し、追い払い近づけさせないことができる。あわせて、人が襲撃されることによる被害を減少させることができる。
【考案を実施するための最良の形態】
【０００６】太陽電池は２０Ｗ１Ａ程度を用いる。
太陽電池の取り付けは角度を調整できるように蝶ネジで止める。
バッテリーは２０Ａｈ程度の容量でメンテナンスフリーのものを用いる。
本体は１辺５０ｃｍ程度の金属製の箱状のものを用いる。
本体上部はふた状にし、現地にあわせて９０度ずつ方向が変えられるようにする。
目のように光る発光ダイオードは大きめのものを用いる。また、消費電力が小さいので本体に直接数個設置しても良い。
発光ダイオードは自由に曲げられる銅パイプ等に取付ける。
回転板（兼はずみ車）は重りの金属塊が本体壁面に衝突し負荷が変化するので、その影響を防止するため取り付ける。
ギヤボックスは、金属塊の回転の慣性により、損傷を防止するためラチェット付きにする。
金属塊は回転板の回転により、遠心力で外側の本体の金属と衝突しガンガンと音をたてる。
金属塊はナット等を用い、より線のステンレスワイヤで回転板に１２０度の間隔でずらし、３個取り付ける。
バランス重り（兼、軸のストッパ）は金属塊の衝突により、回転軸の曲がりを防止する。本体との間にベアリングをはさむ。
直流安定化電源回路及び過充電防止回路は、太陽電池とバッテリーの容量の関係では不要。
光センサー部は周囲が暗くなったらＯＮになる夜行性の動物用と、逆に周囲が明るくなったらＯＮになる昼行性の動物用に、切り替えられるようにスイッチをつける。
タイマーの設定時間を変更できるようＶＲ又は切り替えスイッチを使用する。
設定変更、装置の点検のためのドア状の開口部を設ける。
屋外で使用するので、部品等の取り付け部分及び開口部にはゴムパッキンを用い、シーリング剤等で防水処理を行う。
メガホンは雨水の浸入を防止するため、上部を庇のように曲げて良い。
メガホン部の穴は完全にあけず、プレス機でうろこ状に曲げ加工する。
持ち運びが楽なように、総重量は１０ｋｇ程度までにする。
テストスイッチは動作確認が簡単にできるよう、操作しやすい部分に取り付ける。
杭は本体の転倒を防止し、振動や音を地中に伝える働きもする。
【実施例】
【０００７】けもの道のそばに設置する。【０００８】畑の四隅に設置する。
【産業上の利用可能性】
【０００９】農作物を動物による被害を減少させ、農業の生産性を向上させる。
【図面の簡単な説明】
【００１０】
【図１】「全体の形状を示した斜視図である。」
【図２】「本体内部を示した横断面図である。」
【図３】「電気回路の構成を示した図である。」
【符号の説明】
【００１１】  １  太陽電池
２  取っ手
３  発光ダイオード
４  点検口
５  杭
６  本体
７  メガホン
８  センサー部
９  バランス重り
１０  ギヤボックス（ラチェット付き）
１１  回転板（はずみ車も兼ねる）
１２  金属塊
１３  バッテリー
１４  底板
１５  電気回路基盤
１６  スピーカー
１７  モーター
【図１】
0003128756.tif 000003
【図２】
0003128756.tif 000004
【図３】
0003128756.tif 000005